(57)【要約】      （修正有）【課題】構造が簡単でコストが安い組み合せが簡単な椅子を提供する。【解決手段】Ｈ型枠１と、前横棒５と、二本の逆Ｌ型前脚４と、座板３と、背もたれ２とが組み合わされて成る椅子であるので、構成部品が少なく、組み合わせ作業が簡単である。また、座板３の周囲壁３０の前側壁部の下縁部に形成された複数個の差込突起が前横棒５の差込孔５１にはまると共に、周囲壁３０の後側壁部に形成された貫通孔に逆Ｌ型前脚４の水平部が差し通されることで、座板３が固定される。また、背もたれ２の左右の側面に形成された上縦棒収容溝２０がＨ型枠１の上縦棒１１を収容すると共に、背もたれ２の左右の側部の上部から下方へ向けて突き出すはまり管２１が上縦棒１１の上端開口内にはまり込むことで、背もたれ２が固定される。そのため、座板３および背もたれ２は、ねじを使用せずに組み合わせることができる。【選択図】図３
0003167526.tif 000002
【実用新案登録請求の範囲】
【請求項１】
中間横棒と、前記中間横棒の一方の端部および他方の端部に固定され上方にのびる一対の上縦棒と、前記中間横棒の一方の端部および他方の端部に固定され下方にのび後脚として機能する一対の下縦棒とで構成されるＨ型枠と、
上下方向に長手状を成す前脚部と、当該前脚部の上端部から前記中間横棒に向けてのび出し、当該のび出した先端部が、前記中間横棒の第１貫通孔に挿し通された第１ねじにより当該中間横棒に固定された水平部と、を有する一対の逆Ｌ型前脚と、
前記一対の逆Ｌ型前脚の前記前脚部の間に設けられて当該前脚部に固定され、前側面に複数個の差込孔が形成された前横棒と、
下面の周囲から下方に向けて突き出し、前側壁部の下縁部に前記前横棒の差込孔にはめ入れられた複数個の差込突起が設けられ、後側壁部に前記逆Ｌ型前脚の前記水平部が挿し通された二個の第２貫通孔を有する座板と、
左右の側面に前記上縦棒を収容する上縦棒収容溝が形成され、前記一対の上縦棒の間に設けられた背もたれと、を備えることを特徴とする椅子。
【請求項２】
前記前横棒は、当該前横棒の両端部にねじ込まれた第２ねじで以て前記一対の逆Ｌ型前脚に固定されていることを特徴とする請求項１に記載の椅子。
【請求項３】
前記背もたれの上縦棒収容溝は、Ｃ型の断面を成すように形成され、
前記Ｈ型枠の前記一対の上縦棒は、当該一対の上縦棒のうちの前記上縦棒収容溝との対向面の上端に形成された係合溝を有し、
前記背もたれは、左右の側部の上部から下方に向けて突き出し、前記Ｈ型枠の前記上縦棒の中にはまり込んで当該背もたれを前記Ｈ型枠に固定する一対のはまり管と、当該はまり管と前記上縦棒収容溝とを連結すると共に前記一対の上縦棒の係合溝内に上方からはめ入れられた連結部とを有している
ことを特徴とする請求項１または２に記載の椅子。
【考案の詳細な説明】
【技術分野】
【０００１】
本案は複数の部材が組み合わせられて構成される椅子に関する。
【背景技術】
【０００２】
従来の四本脚と座部とを持つ椅子は、伝統的に、金属管が溶接されて成る枠に背もたれと座部とが組み付けられることで構成されている。それで色々な形態に設計されて、コストや保管の便利性を考えに入れて作られたものが沢山ある。
【０００３】
それで従来の溶接により固定式に作られた椅子は、その体積が大きく運送や保管に場所を取るために、段々と取りはずしがし易い物が色々と設計され使用されている。この様な椅子は、構造が簡単で、コストが低く、組み合せおよび取りはずしが迅速にできる上に、使用者が自分で組み合わせられることが要求される。
【０００４】
たとえば、二個のｈ型枠を持ち、二本の横棒で上記二個のｈ型枠を四本脚に組み合せて出来あがる椅子がある。上記ｈ型枠は、一本の前脚と一本の後脚を持つ。そして、上記椅子は、上記二本の横棒がねじで以て上記二個のｈ型枠の間に組み付けられ、座部が上記二本の横棒の上に設置され、更に背もたれが各ｈ型枠の間に組み合せられて、完成させられる。
【考案の概要】
【考案が解決しようとする課題】
【０００５】
上述の従来の組み合せ式椅子は、その使用上、次の不便と欠点がある。
１．椅子を積み重ねて運搬する時、又取り外して使用する時は、使用者は座部の下をつかまえて上方に引きあげなければならない。だが、座部はｈ型枠の横棒の上に置かれているだけで別に固定されてないので、座部がｈ型枠から外れる欠点がある。又、使用するにつれて座部と横棒とのかかり合いがゆるくなる。
２．背もたれは、ｈ型枠の縦の両側棒部にもたせられた状態でねじにより固定されることで組み付けられているので、組み合わせが不便である。
３．ｈ型枠に背もたれを組み付けるのにねじを使用するので、組み合わせに時間がかかる。
【０００６】
本考案は、上記のような点に鑑みて創作されたものであり、下に述べる諸点を解決することを目的とする。
１．構造が簡単で、コストが安い椅子を提供する。
２．組み合わせを迅速に行うことができ、製造業者に限らず消費者も軽易に速く組み合せられる椅子を提供する。
３．座部は、ねじを使用しないで組み付けることができ、組み付けたらゆるんだり脱落しない様にする。
４．取りはずすことで体積が非常に小さくなり、包装や運搬や保管などが便利な椅子を提供する。
【課題を解決するための手段】
【０００７】
請求項１に記載の椅子は、（１）中間横棒と、前記中間横棒の一方の端部および他方の端部に固定され上方にのびる一対の上縦棒と、前記中間横棒の一方の端部および他方の端部に固定され下方にのび後脚として機能する一対の下縦棒とで構成されるＨ型枠と、（２）上下方向に長手状を成す前脚部と、当該前脚部の上端部から前記中間横棒に向けてのび出し、当該のび出した先端部が、前記中間横棒の第１貫通孔に挿し通された第１ねじにより当該中間横棒に固定された水平部と、を有する一対の逆Ｌ型前脚と、（３）前記一対の逆Ｌ型前脚の前脚部の間に設けられて当該前脚部に固定され、前側面に複数個の挿込孔が形成された前横棒と、（４）下面の周囲から下方に向けて突き出し、前側壁部の下縁部に前記前横棒の挿込孔にはめ入れられた複数個の挿込突起が設けられ、後側壁部に前記逆Ｌ型前脚の水平部が挿し通された二個の第２貫通孔を有する座板と、（５）左右の側面に前記上縦棒を収容する上縦棒収容溝が形成され、前記一対の上縦棒の間において水平方向の抜出不能に設けられた背もたれと、を備える。このように構成される本考案の椅子は、一個のＨ型枠と、二本の逆Ｌ型前脚と、一本の前横棒と、一個の座版と、一個の背もたれとが組み合せられて成っているので部品が少なく、組み合わせ作業が簡単にできる。又、ねじの使用個数が少ないので組み合せに要する時間が短くなる。又、座板は、座板の挿込突起と前横棒の挿込孔との組み合わせや座板の周囲壁の第２貫通孔と逆Ｌ型前脚の水平部との組み合わせにより固定され、又、背もたれは、Ｈ型枠の上縦棒の間に挿し込まれる方式で固定されているので、ゆるんだり脱落することを抑制することができる。
【図面の簡単な説明】
【０００８】
【図１】本考案による一実施例の椅子の斜視図である。
【図２】本考案による一実施例の椅子のＨ型枠と座板とが組み合わされた側面図である。
【図３】本考案による一実施例の椅子の分解斜視図である。
【図４】本考案による一実施例の椅子の背もたれの前面図である。
【図５】図４の上視図である。
【図６】図４の右側面である。
【図７】本考案の一実施例の椅子の背もたれの斜視図である。
【図８】図７の中の８〜８線断面図である。
【図９】本考案の一実施例の椅子の座板の前面図である。
【図１０】図９の右側面図である。
【図１１】図９の上視図である。
【図１２】図９の後視図である。
【図１３】図９の底面図である。
【図１４】図１３の中の１４〜１４線の断面図である。
【図１５】本考案の一実施例の椅子の前視図である。
【図１６】本考案の一実施例の椅子の右側面図である。
【図１７】本考案の一実施例の椅子が積み重ねられた状態の上視図である。
【図１８】本考案の一実施例の椅子が積み重ねられた状態の斜視図である。
【図１９】本考案の一実施例の椅子が積み重ねられた状態の側面図である。
【図２０】本考案の一実施例の椅子が積み重ねられた状態の前視図である。
【考案を実施するための形態】
【０００９】
以下、本考案の実施形態による椅子を図面に基づいて説明する。
【実施例】
【００１０】
本考案の一実施例の組み合せが簡単な椅子は、図１〜図３に示す様に、Ｈ型枠１と、背もたれ２と、座板３と、二本の逆Ｌ型前脚４と、前横棒５とが組み合わされて構成される。
【００１１】
Ｈ型枠１は、二本の上縦棒１１と、二本の後脚１２と、一本の中間横棒１３とで構成されている。上縦棒１１は、その内側に上端から下方に向って形成された溝（係合溝）１１１を有している。、その溝１１１には、背もたれ２の両側面に形成されたＣ型溝（上縦棒収容溝）２０とその背もたれ２の両側部の上部から下方に向けて突き出すはまり管２１との間の連結部２２（後述の図６参照）が挿し込まれる。下方の後脚（下縦棒）１２は、上縦棒１１の下端部から連続して下に伸びる。中間横棒１３は、その両末端近くに形成された貫通孔（第１貫通孔）１３１を有し、ねじ（第１ねじ）６がこの貫通口１３１に挿し込まれて二本の逆Ｌ型前脚４の後末端にねじ付けられて、それで二本の逆Ｌ型前脚４と中間横棒１３とが固定されて連結される。なお、座板３は、その座板３の後端縁部が中間横棒１３の上に置かれて支持される。
【００１２】
背もたれ２は、図４〜図８に示す様に、その両側面に形成されたＣ型溝２０を有している。、このＣ型溝２０の中には、はまり管２１が付設されている。背もたれ２をＨ型枠１の一対の上縦棒１１に組み付ける時、はまり管２１がそれら一対の上縦棒１１の中空内に挿し込まれると共に背もたれ２のＣ型溝２０が上縦棒１１を収容することで背もたれ２が一対の上縦棒１１の間に堅固に組み付けられる。
【００１３】
座板３は、図９〜図１４に示す様に、その下面の周囲に下方に向けて突き出し、前側壁部の下縁部に複数個の挿込突起３１が形成された周囲壁３０を有する。この挿込突起３１は、前横棒５に形成された複数個の挿込孔５１に挿し込まれて座板３を安定させる。更に、座板３は、周囲壁３０の後側壁部に形成された二個の貫通孔（第２貫通孔）３２を有している。座板３は、その座板３の後側下縁が中間横棒１３により支持される。
【００１４】
前横棒５は、図２および図３に示す様に、その前側面に形成され座板３の挿込孔３１が挿し込まれた複数個の挿込孔５１を有している。更に、前横棒５は、一対の逆Ｌ型前脚４の間に設けられてその前横棒５の両端管口がねじ（第２ねじ）６で一対の逆Ｌ型前脚４に固定される。前横棒５の挿込孔５１の位置は、座板３の挿込突起３１の挿し込み位置と対応する。
【００１５】
本考の一実施例の椅子の組み合わせは次の順序で行われる。
１．二本のねじ（第２ねじ）６で前横棒５の両末端を二本の逆Ｌ型前脚４の前脚部の間に固定する。
２．二本の逆Ｌ型前脚４の水平部を座板３の下に入れ込み、座板３の前側壁部の下縁部の挿込突起３１を前横棒５の挿込孔５１に挿し込ませ、逆Ｌ型前脚４の水平部を座板３の周囲壁の後側壁部の貫通孔３２に挿し込ませる。更に、ねじ（第１ねじ）６で逆Ｌ型前脚４の水平部を中間横棒１３に固定させる。
３．背もたれ２をＨ型枠１の一対の上縦棒１１に組み付ける。具体的には、背もたれ２をＨ型枠１の一対の上縦棒１１の上方から挿し込み、上縦棒１１を背もたれ２のＣ型溝２０内に収容させる。この際、背もたれ２の連結部２２が上縦棒１１の溝１１１内にはめ込まれると共に、背もたれ２のはまり管２１が上縦棒１１の上端開口内にはめ込まれる。
以上で本考案の一実施例の椅子の組み合せは完成する。
【００１６】
本考案の一実施例の椅子は次に述べる効果がある。
１．構造が簡単で、製造コストが安い。
２．組み合せを迅速に行うことができ、製造業者に限らず消費者も軽易に速く組み合せられる。
３．Ｈ型枠１と座板３と背もたれ２との組み合せを堅固にすることができ、ねじを使用せずとも座板３がゆるんだり脱落することを防止し、使用上安定させることができる。
４．組み合せる前に、製造業者はその包装や運送や保管に必要とするコストと空間を節約することができる。
５．使用者がこの椅子を使用しない場合には、迅速に取りはずすことができると共に構成部材を収納するのにあまり空間を取らない。
【００１７】
以上、本考案はこのような実施形態に限定されるものではなく、考案の趣旨を逸脱しない範囲において、種々の形態で実施することができる。
【符号の説明】
【００１８】
１      ・・・Ｈ型枠
１１    ・・・上縦棒
１１１  ・・・溝（係合溝）
１２    ・・・後脚（下縦棒）
１３    ・・・中間横棒
１３１  ・・・貫通孔（第１貫通孔）
２      ・・・背もたれ
２０    ・・・Ｃ型溝（上縦棒収容溝）
２１    ・・・はまり管
３      ・・・座板
３０    ・・・周囲壁
３１    ・・・挿込突起
３２    ・・・貫通孔（第２貫通孔）
４      ・・・逆Ｌ型前脚
５      ・・・前横棒
５１    ・・・挿込孔
６      ・・・ねじ（第１ねじ、第２ねじ）
【図１】
0003167526.tif 000003
【図２】
0003167526.tif 000004
【図３】
0003167526.tif 000005
【図４】
0003167526.tif 000006
【図５】
0003167526.tif 000007
【図６】
0003167526.tif 000008
【図７】
0003167526.tif 000009
【図８】
0003167526.tif 000010
【図９】
0003167526.tif 000011
【図１０】
0003167526.tif 000012
【図１１】
0003167526.tif 000013
【図１２】
0003167526.tif 000014
【図１３】
0003167526.tif 000015
【図１４】
0003167526.tif 000016
【図１５】
0003167526.tif 000017
【図１６】
0003167526.tif 000018
【図１７】
0003167526.tif 000019
【図１８】
0003167526.tif 000020
【図１９】
0003167526.tif 000021
【図２０】
0003167526.tif 000022